【手続補正書】
【提出日】令和3年8月10日(2021.8.10)
【手続補正１】
【補正対象書類名】特許請求の範囲
【補正対象項目名】全文
【補正方法】変更
【補正の内容】
【特許請求の範囲】
【請求項１】
マルチツールデバイスであって、
ハンドル部分と、
開端レンチ機構と、を備え、前記開端レンチ機構は、
前記開端レンチ機構の外爪部分を画定するレンチフレーム部材であって、前記レンチフレーム部材は、さらにその内部にスロットを画定する、レンチフレーム部材と、
滑動ピボットにより前記レンチフレーム部材へ変位可能に連結される内爪部材であって、前記内爪部材の一部分は、前記レンチフレーム部材の前記スロット内に受け入れられる、内爪部材と、
前記内爪部材を、前記レンチフレーム部材の外爪部分との閉位置へ向けて付勢するように構成されるばね部材と、を含み、
前記レンチフレーム部材の外爪部分は、ユーザが前記開端レンチ機構に力を加えると、前記内爪部材と協働して、前記開端レンチ機構に締結具へトルクを印加させるように構成される、マルチツールデバイス。
【請求項２】
前記レンチフレーム部材は、第１の軸受け面を備え、かつ前記内爪部材は、第２の軸受け面を備え、前記レンチフレーム部材の第１の軸受け面は、前記内爪部材の第２の軸受け面と対向する関係性で配置され、前記レンチフレーム部材の第１の軸受け面は、前記内爪部材の第２の軸受け面上の第２の輪郭セットと協働するように構成される第１の輪郭セットを有し、
前記開端レンチ機構が係合された締付け位置にあるとき、前記個々の第１および第２の軸受け面の第１および第２の輪郭セットは、前記開端レンチ機構の締結具接触面と前記締結具との間に、前記開端レンチ機構が締付け方向へ回転される際の前記滑動ピボットの作用線に対する既定の角度で締付け接触を提供するように構成され、かつ、
前記開端レンチ機構の第１および第２の軸受け面が非係合位置にあるとき、前記締結具の接触面は、前記開端レンチ機構が前記締結具に対して非締付け方向へ回転されるにつれて、前記締結具を中心とする前記開端レンチ機構のフォロワ面として動作するように構成される、請求項１に記載のマルチツールデバイス。
【請求項３】
前記レンチフレーム部材の第１の軸受け面は、前記第１の輪郭セットを形成する第１のラックギヤ部分を備え、かつ前記内爪部材の第２の軸受け面は、前記第２の輪郭セットを形成する第２のラックギヤ部分を備え、前記第１のラックギヤ部分は、前記第２のラックギヤ部分と対向する関係性で配置される、請求項２に記載のマルチツールデバイス。
【請求項４】
前記レンチフレーム部材または前記内爪部材は、前記レンチフレーム部材に対する前記内爪部材の回転を制限すべく、前記内爪部材の回転を前記滑動ピボットを中心とする既定の角度に抑えるように構成される回転制限部材を備える、請求項１に記載のマルチツールデバイス。
【請求項５】
マルチツールデバイスであって、
内面および外面を有する第１のツールサブアッセンブリであって、前記第１のツールサブアッセンブリの内面は、前記第１のツールサブアッセンブリの外面の反対側に配置される、第１のツールサブアッセンブリと、
内面および外面を有する第２のツールサブアッセンブリであって、前記第２のツールサブアッセンブリの内面は、前記第２のツールサブアッセンブリの外面の反対側に配置される、第２のツールサブアッセンブリと、
前記第１のツールサブアッセンブリを前記第２のツールサブアッセンブリへ回転可能に連結するヒンジ部材であって、前記ヒンジ部材は、前記第１のツールサブアッセンブリがそれを中心にして旋回可能な第１の回転軸と、前記第２のツールサブアッセンブリがそれを中心にして旋回可能な第２の回転軸とを画定し、前記第１の回転軸は、概して前記第２の回転軸に平行であり、かつ前記第１の回転軸は、前記第１のツールサブアッセンブリをある形状に折りたためることによって前記第１のツールサブアッセンブリが前記第２のツールサブアッセンブリと略平行に配置され、かつ前記第１のツールサブアッセンブリの内面が前記第２のツールサブアッセンブリの内面に対向する関係性で配置される既定の間隔で前記第２の回転軸から離隔される、ヒンジ部材と、を備える、マルチツールデバイス。
【請求項６】
前記第１のツールサブアッセンブリは、１つまたは複数のツール部材を備え、かつ前記第２のツールサブアッセンブリは、１つまたは複数の追加的なツール部材を備える、請求項５に記載のマルチツールデバイス。
【請求項７】
前記第１のツールサブアッセンブリの１つまたは複数のツール部材は、１対の折りたたみプライヤを含み、前記折りたたみプライヤは、第１のハンドル端と、前記第１のハンドル端の反対側に配置されるプライヤヘッドを有する第２のヘッド端とを有し、前記折りたたみプライヤの前記第１のハンドル端は、１対の離隔した開口を含み、前記対の離隔した開口のうちの第１の開口は、前記折りたたみプライヤの第１のハンドル部分に配置され、かつ前記対の離隔した開口のうちの第２の開口は、前記折りたたみプライヤの第２のハンドル部分に配置され、前記離隔された開口は、前記折りたたみプライヤの第１および第２のハンドル部分の閉位置において互いに同一直線上にあるように構成され、かつ前記マルチツールデバイスのヒンジ部材は、さらに、
１対の共線的ポストであって、前記ヒンジ部材の第１の回転軸に沿って配置され、前記第１のツールサブアッセンブリが前記第２のツールサブアッセンブリと係合されると、前記離隔された開口の個々の開口内に受け入れられるように構成される１対の共線的ポストを備える、請求項６に記載のマルチツールデバイス。
【請求項８】
前記第１のツールサブアッセンブリは、前記折りたたみプライヤの第１および第２のハンドル部分上の前記離隔された開口の各々から前記ヒンジ部材の共線的ポスト対の係合を解除することにより、前記第２のツールサブアッセンブリから取り外されるように構成され、かつ前記第１のツールサブアッセンブリは、前記折りたたみプライヤの第１および第２のハンドル部分上の前記離隔された開口を前記ヒンジ部材の共線的ポストのうちの個々のポストと係合させ、かつ前記折りたたみプライヤの第２のヘッド端における前記プライヤヘッドを用いて前記折りたたみプライヤの第１および第２のハンドル部分を互いに対して所定位置にロックすることにより、前記第２のツールサブアッセンブリへ取り付けられるように構成される、請求項７に記載のマルチツールデバイス。
【請求項９】
前記第１のツールサブアッセンブリ、前記第２のツールサブアッセンブリおよび前記ヒンジ部材のうちの１つは、さらに、前記第１のツールサブアッセンブリの前記第２のツールサブアッセンブリに対する回転を拘束する回転制限部材を備える、請求項５に記載のマルチツールデバイス。
【請求項１０】
前記ヒンジ部材は、さらに、第１の面と、前記第１の面の反対側に配置される第２の面とを備え、前記第１の面および前記第２の面のうちの少なくとも一方の内部には、締結具駆動部材を受け入れるためのリセスが設けられている、請求項５に記載のマルチツールデバイス。
【請求項１１】
締結具駆動部材を受け入れるための前記リセスは、前記第１のツールサブアッセンブリの内面が前記第２のツールサブアッセンブリの内面へ折りたたまれると、前記リセスの長手軸が前記マルチツールデバイスの中心軸に略一致するように、実質的に前記ヒンジ部材の中心に置かれる、請求項１０に記載のマルチツールデバイス。
【請求項１２】
前記ヒンジ部材の第１および第２の面は各々、内部に形成される、個々の締結具駆動部材を受け入れるためのリセスを備える、請求項１０に記載のマルチツールデバイス。
【請求項１３】
マルチツールデバイスであって、
１対の折りたたみプライヤを備え、前記１対の折りたたみプライヤは、
プライヤハンドル本体部分であって、第１のハンドル部材および第２のハンドル部材を含むプライヤハンドル本体部分と、
前記プライヤハンドル部分へ連結されるプライヤヘッド部分とを含み、前記プライヤヘッド部分は、第１の回転軸を中心にして第２の爪部材へ旋回可能に連結される第１の爪部材を含み、前記プライヤヘッド部分は、前記プライヤハンドル本体部分へと折りたたまれて前記折りたたみプライヤの収納形状になるように構成され、かつ前記第１および第２の爪部材は各々、前記プライヤにより操作されている物体に係合するための第１の端と、個々の第１および第２のハンドル部材へ旋回可能に連結される、反対側に配置される第２の端とを有し、第１および第２の爪部材の前記第２の端は、個々の第２および第３の回転軸を中心に前記個々の第１および第２のハンドル部材に対して旋回するように構成される、マルチツールデバイス。
【請求項１４】
前記第１のハンドル部材および前記第２のハンドル部材のうちの一方は、動作可能な、展開された状態の前記折りたたみプライヤおよび動作不能な、折りたたまれた状態の前記折りたたみプライヤを画定するように、前記第１の回転軸を中心にして前記第１のハンドル部材および前記第２のハンドル部材のうちのもう一方に対して折りたたみ可能であり、かつ、
前記折りたたみプライヤが前記折りたたまれた状態にあるとき、前記第１および第２の爪部材の第２の端がそれらを中心にして前記個々の第１および第２のハンドル部材に対して旋回するように構成される前記第２および第３の回転軸は、互いに同一直線上にある、請求項１３に記載のマルチツールデバイス。
【請求項１５】
前記第１および第２のハンドル部材は、第１および第２の爪部材の前記第２の端で前記第１および第２の爪部材の外面へ旋回可能に連結され、かつ、
前記折りたたみプライヤが前記折りたたまれた状態にあるとき、前記第１および第２のハンドル部材は、概して、互いに平行に配置される、請求項１４に記載のマルチツールデバイス。
【請求項１６】
前記プライヤヘッド部分が前記プライヤハンドル本体部分に折りたたまれると、前記第１および第２のハンドル部材は、前記折りたたまれた状態にロックされる、請求項１４に記載のマルチツールデバイス。
【請求項１７】
前記第１のハンドル部材および前記第２のハンドル部材のうちの一方は、その内部に形成される、前記第１および第２の爪部材を閉位置に固定するように前記プライヤヘッド部分の先端を受け入れるためのノッチを備える、請求項１３に記載のマルチツールデバイス。
【請求項１８】
マルチツールデバイスであって、
１つまたは複数のツール部材を含むツール本体部分と、ドライバビット延長部保持部分とを備え、前記ドライバビット延長部保持部分は、
前記ツール本体部分により形成されるドライバビット延長部クレードルであって、ドライバビット延長部の一部分を受け入れるように構成されるドライバビット延長部クレードルと、
前記ドライバビット延長部を前記ドライバビット延長部クレードル内に保持するように構成される保持部材とを備え、前記保持部材は、前記ドライバビット延長部の長さの一部分に沿って延びかつ前記ドライバビット延長部の円周部分に外接するように構成される、マルチツールデバイス。
【請求項１９】
前記ドライバビット延長部保持部分の保持部材は、前記ドライバビット延長部を前記ドライバビット延長部クレードル内へ導く、前記ドライバビット延長部に保持力を加えるように構成される片持ちばね部材の形態である、請求項１８に記載のマルチツールデバイス。
【請求項２０】
前記片持ちばね部材は、前記ドライバビット延長部の円周部分に外接するように構成される下向きに曲がった部分を備え、前記片持ちばね部材の下向きに曲がった部分は、前記ドライバビット延長部に前記保持力を加えるように構成される、請求項１９に記載のマルチツールデバイス。
【請求項２１】
マルチツールデバイスであって、
ハンドル部分と、
開端レンチ機構と、を備え、前記開端レンチ機構は、
前記開端レンチ機構の外爪部分を画定するレンチフレーム部材であって、前記レンチフレーム部材は、さらにその内部にスロットを画定する、レンチフレーム部材と、
前記レンチフレーム部材へ変位可能に連結される内爪部材であって、前記内爪部材の一部分は、前記レンチフレーム部材の前記スロット内に受け入れられる、内爪部材と、を含み、
前記レンチフレーム部材の外爪部分は、ユーザが前記開端レンチ機構に力を加えると、前記内爪部材と協働して、前記開端レンチ機構に締結具へトルクを印加させるように構成される、マルチツールデバイス。
【請求項２２】
前記外爪部分は、ピンを介して蝶番式に連接されかつばねにより閉位置へと付勢される第１および第２の外爪部分を備え、
前記第１の外爪部分は、前記第２の外爪部分の前記閉位置への移動を制限する停止装置を有する、請求項２１に記載のマルチツールデバイス。
【請求項２３】
前記内爪部材は、第１の位置において、前記内爪部分の前記外爪部分に対する長手方向移動を許容し、かつ第２の位置において、前記内爪部分の前記外爪部分に対する長手方向移動を制限するように適合化されるピボット部分を有する、請求項２１に記載のマルチツールデバイス。
【請求項２４】
前記内爪部材は、前記レンチフレーム部材へスリーブによって変位可能に連結され、前記内爪部材は、前記スリーブへ旋回可能に連接され、前記スリーブは、前記外爪部分へ滑動可能に連結され、かつ、
ばねは、第１の端で前記外爪部分へ連接され、かつ第２の端で前記スリーブへ連接され、これにより、前記スリーブおよび内爪部分は、閉位置へと付勢され、
前記内爪部材の一部分に配置される２つ以上の歯は、ロック位置において、前記外爪部材の一部分に配置される２つ以上の歯に協働して係合するように適合化される、請求項２１に記載のマルチツールデバイス。
【請求項２５】
前記内爪部材は、前記レンチフレーム部材へスリーブによって変位可能に連結され、前記内爪部材は、前記スリーブへ固定的に連接され、前記スリーブは、前記外爪部分へ滑動可能に連結され、かつ、
ばねは、第１の端で前記外爪部分へ連接され、かつ第２の端で前記スリーブへ連接され、これにより、前記スリーブおよび内爪部分は、閉位置へと付勢され、
さらに、これにより、前記スリーブおよび内爪部分は、前記レンチフレーム部材に対し、開位置と閉位置との間で回転するように適合化され、前記スリーブおよび内爪部分は、前記閉位置において、前記レンチフレーム部材に対する長手方向移動を制限される、請求項２１に記載のマルチツールデバイス。
【請求項２６】
前記内爪部材は、前記レンチフレーム部材へスリーブによって変位可能に連結され、前記内爪部材は、前記スリーブへ固定的に連接され、前記スリーブは、前記外爪部分へ滑動可能に連結され、
前記スリーブは、線形移動を阻止するロックにより、前記レンチフレーム部材に沿った移動レンジにおける離散位置においてロック可能である、請求項２１に記載のマルチツールデバイス。
【請求項２７】
前記外爪部分は、ピンを介して蝶番式に連接されかつばねにより閉位置へと付勢される第１および第２の外爪部分を備え、
前記第１の外爪部分は、前記第２の外爪部分の前記閉位置への移動を制限する停止装置を有する、請求項２６に記載のマルチツールデバイス。